(57)【要約】【解決手段】レバー型電気コネクタ組立体は、複数の端子を取付けるためのコネクタハウジングを含む。コネクタハウジングは、相補的な相手側コネクタと結合するための前端と、端子に終端される複数の電気ワイヤを収容するための後端とを含む。結合支援レバーは、ハウジングに旋回移動可能に取付けられ、旋回動作行程において、電気ワイヤを端子に終端することができる行程の一端における装填前位置と行程の他端における結合位置との間を移動する。相互係合係止手段は、結合支援レバーを装填前位置で保持するためにコネクタハウジングと結合支援レバーとの間に配設される。ワイヤドレスカバーは、電気ワイヤと端子との間の接続を保護するために、コネクタハウジングの後端を覆うように取付可能である。ワイヤドレスカバーは、カバーがハウジングに取付けられた後、結合支援レバーを旋回可能とするように係止手段を非係合の状態にするための解放手段を備える。【選択図】図４
2009518783.tif 000002
【特許請求の範囲】
【請求項１】
レバー型電気コネクタ組立体であって、
複数の端子を取付けるためのコネクタハウジングであって、相補的な相手側コネクタと結合するための前端と、事前終端された複数のワイヤを収容するための後端とを含むコネクタハウジングと、
ハウジングに旋回移動可能に取付けられた結合支援レバーであって、旋回動作行程において、事前終端されたワイヤをコネクタハウジングに挿入可能な前記行程の一端における装填前位置と前記行程の他端における結合位置との間を移動する結合支援レバーと、
該結合支援レバーを装填前位置で保持するためにコネクタハウジングと結合支援レバーとの間に配設された相互係合係止手段と、
前記事前終端されたワイヤを保護するためにコネクタハウジングの後端を覆うように取付可能なワイヤドレスカバーであって、カバーがハウジングに取付けられた後、結合支援レバーを旋回可能とするように前記係止手段を非係合の状態にするための解放手段を備えたワイヤドレスカバーとを有するレバー型電気コネクタ組立体。
【請求項２】
前記相互係合係止手段は、カバーをコネクタハウジングに取付けることにより自動的に、ワイヤドレスカバーの前記解放手段によって非係合の状態にされるように配置されている、請求項１に記載のレバー型電気コネクタ組立体。
【請求項３】
前記相互係合係止手段は、少なくとも１個の可撓性を備える係止部材であり、解放手段は係止部材に係合し、該係止部材を撓ませて非係合の状態にする、請求項１に記載のレバー型電気コネクタ組立体。
【請求項４】
レバーの両側面に設けられた一対の係止部材を含む、請求項３に記載のレバー型電気コネクタ組立体。
【請求項５】
前記結合支援レバーは、コネクタハウジングの両側面に枢支された一対の結合駆動アームを含み、前記相互係合係止手段は、各駆動アームとハウジングの各側面との間に設けられている、請求項１に記載のレバー型電気コネクタ組立体。
【請求項６】
前記解放手段は、ワイヤドレスカバーの両側壁に設けられている、請求項５に記載のレバー型電気コネクタ組立体。
【請求項７】
前記解放手段は、ワイヤドレスカバーの各側壁から外側に突出した解放突起である、請求項６に記載のレバー型電気コネクタ組立体。
【請求項８】
前記相互係合係止手段は、結合支援レバーが反対方向に旋回するのを防止するための手段を含む、請求項１に記載のレバー型電気コネクタ組立体。
【請求項９】
結合支援レバーを前記装填前位置と結合位置との間の結合前位置に保持するためにコネクタハウジングと結合支援レバーとの間に配設された第２の相互係合係止手段を含む、請求項１に記載のレバー型電気コネクタ組立体。
【請求項１０】
前記第２の相互係合係止手段は、相補的な相手側コネクタによって解放されるように配置されている、請求項９に記載のレバー型電気コネクタ組立体。
【請求項１１】
前記第２の相互係合係止手段は、相手側コネクタの係止解放肩部と係合可能な可撓性を備える係止アームである、請求項１０に記載のレバー型電気コネクタ組立体。
【請求項１２】
前記結合支援レバーは、コネクタハウジングの両側面に枢支された一対の駆動アームを含み、前記可撓性を備える係止アームのうちの１個が各駆動アームに設けられている、請求項１１に記載のレバー型電気コネクタ組立体。
【請求項１３】
前記係止手段が解放された後、結合支援レバーを結合前位置に移動させるためにワイヤドレスカバーに配設されたプッシャ手段を含む、請求項１に記載のレバー型電気コネクタ組立体。
【請求項１４】
レバーを前記結合前位置に保持するためにコネクタハウジングと結合支援レバーとの間に配設された第２の相互係合係止手段を含む、請求項１３に記載のレバー型電気コネクタ組立体。
【請求項１５】
レバー型電気コネクタ組立体であって、
複数の端子を取付けるためのコネクタハウジングであって、相補的な相手側コネクタと結合するための前端と、事前終端された複数のワイヤを収容するための後端とを含むコネクタハウジングと、
ハウジングの両側面に旋回移動可能に取付けられた一対の駆動アームを備える略Ｕ字状の結合支援レバーであって、旋回動作行程において、事前終端されたワイヤをコネクタハウジングに挿入可能な前記行程の一端における装填前位置と前記行程の他端における結合位置との間を移動する結合支援レバーと、
レバーを装填前位置で保持するために結合支援レバーの各駆動アームとハウジングの両側面との間に配設された相互係合係止手段と、
事前終端されたワイヤを保護するためにコネクタハウジングの後端を覆うように取付可能なワイヤドレスカバーであって、カバーがハウジングに取付けられた後、結合支援レバーを旋回可能とするように前記係止手段を非係合の状態にするための解放手段を備えたワイヤドレスカバーとを有し、
前記相互係合係止手段と前記解放手段とは、カバーをコネクタハウジングに取付けることにより自動的にワイヤドレスカバーの前記解放手段によって非係合の状態にされるように配置されているレバー型電気コネクタ組立体。
【請求項１６】
前記相互係合係止手段は、レバーの各駆動アームに設けられた可撓性を備える係止部材であり、解放手段は、係止部材に係合し、該係止部材を撓ませて非係合の状態にする、請求項１５に記載のレバー型電気コネクタ組立体。
【請求項１７】
前記解放手段は、ワイヤドレスカバーの各側壁から外側に突出した解放突起である、請求項１６に記載のレバー型電気コネクタ組立体。
【請求項１８】
結合支援レバーを前記装填前位置と結合位置との間の結合前位置に保持するためにコネクタハウジングと結合支援レバーとの間に配設された第２の相互係合係止手段を含む、請求項１５に記載のレバー型電気コネクタ組立体。
【請求項１９】
前記第２の相互係合係止手段は、相補的な相手側コネクタによって解放されるように配置されている、請求項１８に記載のレバー型電気コネクタ組立体。
【請求項２０】
前記第２の相互係合係止手段は、相手側コネクタの係止解放肩部と係合可能な可撓性を備える係止アームである、請求項１９に記載のレバー型電気コネクタ組立体。
【請求項２１】
前記結合支援レバーは、コネクタハウジングの両側面に枢支された一対の駆動アームを含み、前記可撓性を備える係止アームのうちの１個が各駆動アームに設けられている、請求項２０に記載のレバー型電気コネクタ組立体。
【請求項２２】
前記係止手段が解放された後、結合支援レバーを結合前位置に移動させるためにワイヤドレスカバーに配設されたプッシャ手段を含む、請求項１５に記載のレバー型電気コネクタ組立体。
【請求項２３】
レバーを前記結合前位置に保持するためにコネクタハウジングと結合支援レバーとの間に配設された第２の相互係合係止手段を含む、請求項２２に記載のレバー型電気コネクタ組立体。
【請求項２４】
レバー型電気コネクタ組立体であって、
複数の端子を取付けるためのコネクタハウジングであって、相補的な相手側コネクタと結合するための前端と、事前終端された複数のワイヤを収容するための後端とを含むコネクタハウジングと、
ハウジングに旋回移動可能に取付けられた結合支援レバーであって、旋回動作行程において、事前終端されたワイヤをコネクタハウジングに挿入可能な前記行程の一端における装填前位置と前記行程の他端における結合位置との間を移動する結合支援レバーと、
事前終端されたワイヤを保護するためにコネクタハウジングの後端を覆うように取付可能なワイヤドレスカバーと、
該ワイヤドレスカバーがハウジングに取付けられた後、レバーを前記装填前位置と前記結合位置との間の結合前位置で保持するためにコネクタハウジングと結合支援レバーとの間に配設された相互係合係止手段とを有するレバー型電気コネクタ組立体。
【請求項２５】
前記相互係合係止手段は、相補的な相手側コネクタによって解放されるように配置されている、請求項２４に記載のレバー型電気コネクタ組立体。
【請求項２６】
前記相互係合係止手段は、相手側コネクタの係止解放肩部と係合可能な可撓性を備える係止アームである、請求項２５に記載のレバー型電気コネクタ組立体。
【発明の詳細な説明】
【技術分野】
【０００１】
本発明は、一般に、電気コネクタの分野に関し、具体的には、レバーを有し、第２のコネクタに対する結合及び切離しがレバーの回転によって行われる電気コネクタに関する。
【背景技術】
【０００２】
一般的なレバー型電気コネクタ組立体は、駆動あるいは結合支援レバーが回転可能に取付けられた第１のコネクタを含み、レバーによって相補的な相手側の第２のコネクタに対する第１コネクタの接続及び切離しを行う。駆動レバー及び第２のコネクタは、一般に、レバーの回転によって第２のコネクタを引込んで第１のコネクタと結合状態にするためのカム溝／カムフォロワ構成を有する。
【０００３】
前述の特徴を有するレバー型電気コネクタに共通する構造は、一対のレバーアームを備えた略Ｕ字状のレバー構造を有し、前記レバーアームが第１の（「アクチュエータ」）コネクタの両側面に配置されていることである。レバーアームは、第２の（「相手側」）コネクタの両側面に設けられたカムフォロワ突起と係合するカム溝を有する。これらコネクタは、対を構成するコネクタ同士の結合及び切離しに大きな力を要する場合に多く使用される。例えば、コネクタ同士の接続及び切離し時に発生する端子及びハウジングの摩擦力によって、この接続及び切離し過程を手で行うことが困難になる場合がある。
【０００４】
このようなレバー型コネクタは通常、複数の端子を取付けたコネクタハウジングを含む。ハウジングは、第２のコネクタと結合するための前端と、端子に終端される複数の電気ワイヤを収容する後端とを含む。レバーは、ハウジングに枢支され、電気ワイヤを容易に端子に終端することができる装填（てん）前（pre-load）位置と、相手側コネクタを引いてアクチュエータコネクタと結合状態にする結合位置との間を移動する。ワイヤが端子に終端された後、レバーが結合位置に旋回する前に、ワイヤドレスカバーがハウジングの後端を覆うように位置決めされる。
【発明の開示】
【発明が解決しようとする課題】
【０００５】
このようなレバー型コネクタにはいくつかの問題点がある。一問題点は、レバー構造が固定されていないため、電気ワイヤが終端されコネクタの組立が完了する前に動回る、すなわち、「バタバタ動く」傾向があるという点である。特に、端子が取付けられレバーが枢支されたアクチュエータコネクタハウジングは、顧客に出荷され、その後、顧客が電気ワイヤを端子に終端し、ワイヤドレスカバーを取付けてから相手側コネクタに結合する。レバーは、出荷及び取扱中に動回る傾向がある。別の問題点は、レバーが装填前位置にあるときのコネクタハウジングの片側におけるレバー構造体の占有空間である。２個のコネクタを背中合せに取付ける場合、コネクタのレバーが装填前位置にあると、両コネクタは互いに十分に近接して取付けることができない。本発明はこれらの問題点を解決することを目的としたものである。
【０００６】
したがって、本発明の目的は、新規で改良された上記のタイプのレバー型電気コネクタ組立体を提供することである。
【課題を解決するための手段】
【０００７】
本発明の例示的な実施の形態においては、複数の端子を取付けるためにコネクタハウジングが提供される。ハウジングは、相補的な相手側コネクタと結合するための前端と、端子に終端される複数の電気ワイヤを収容するための後端とを含む。結合支援レバーは、ハウジングに旋回移動可能に取付けられ、旋回動作行程内を移動する、すなわち、電気ワイヤを端子に終端することができる前記行程の一端における装填前位置と前記行程の他端における結合位置との間を移動する。相互係合係止手段は、結合支援レバーを装填前位置で保持するためにコネクタハウジングと結合支援レバーとの間に配設される。電気ワイヤと端子との間の接続を保護するために、コネクタハウジングの後端を覆うようにワイヤドレスカバーが取付可能である。該ワイヤドレスカバーは、カバーがハウジングに取付けられた後、結合支援レバーを旋回可能とするように係止手段を非係合の状態にするための解放手段を備える。
【０００８】
本発明の一形態によれば、相互係合係止手段は、カバーをコネクタハウジングに取付けることによって自動的に、ワイヤドレスカバーの解放手段により非係合の状態にされるように配置されている。相互係合係止手段は少なくとも１個の可撓性（とう）を備える係止部材であり、解放手段は、係止部材に係合し、該係止部材を撓（たわ）ませて非係合の状態にする。本明細書に開示したように、一対の係止部材がレバーの両側面に設けられている。
【０００９】
本発明の他の形態によれば、結合支援レバーは、略Ｕ字状であり、コネクタハウジングの両側面に枢支された一対の結合駆動アームを含む。相互係合係止手段は、各駆動アームとハウジングの両側面との間に設けられている。解放手段は、ワイヤドレスカバーの両側壁に設けられている。本明細書に開示したように、解放手段は、ワイヤドレスカバーの各側壁から外側に突出する解放突起である。
【００１０】
本発明の更に他の形態によれば、結合支援レバーを装填前位置と結合位置との間の結合前位置に保持するために、第２の相互係合係止手段がコネクタハウジングと結合支援レバーとの間に設けられている。第２の相互係合係止手段は、相補的な相手側コネクタによって解放されるように配置されている。本明細書に開示したように、第２の相互係合係止手段は、相手側コネクタの係止解放肩部と係合可能な可撓性を備える係止アームである。
【００１１】
本発明のその他の目的、特徴及び利点は、添付図面と関連付けて行われる次の詳細な説明から明らかになるであろう。
【００１２】
新規であると考えられる本発明の特徴は、特に特許請求の範囲に述べられている。本発明は、その目的及び利点とともに、添付図面と関連付けて行われる次の説明によって最もよく理解することができるであろう。各図面においては、類似の符号は類似の要素を示す。
【発明を実施するための最良の形態】
【００１３】
図面を詳細に参照する。最初に図１０を参照すると、本発明は、全体を１２で示すレバー型電気コネクタ組立体（「コネクタ」）で具体化されている。該組立体１２は、３個の主要構成要素、すなわち、全体を１４で示す誘電性コネクタハウジング（「ハウジング」）と、全体を１６で示すレバー構造体（「レバー」）と、全体を１８で示すワイヤドレスカバー（「カバー」）とから成る。レバー１６はハウジングに旋回移動可能に取付けられており、旋回動作行程内を移動する。すなわち、図１〜４に示す行程の一端における装填前位置と図１０に示す行程の他端における結合位置との間を移動する。レバーは、図６〜９に示す中間位置あるいは結合前位置を通って移動する。本発明は、レバーをこれら３つの位置のいずれか１箇所に保持するための手段を設けることを包含する。
【００１４】
図１〜４を詳細に参照すると、ハウジング１４は、複数の導電性端子（図面では見えない）が内部に取付けられる複数の端子収容通路２０を含む。ハウジングは、相補的な相手側コネクタ（後述）と結合するための前端１４ａと、端子に終端される複数の電気ワイヤ（図示せず）を収容するための後端１４ｂとを有する。基本的には、端子は、相手側コネクタの適切な端子と係合するために、ハウジングの前端１４ａ付近の通路２０内に接触端部を備える。端子は、電気ワイヤに終端するためにハウジングの後端１４ｂ付近に終端端部を備える。端子は、通路２０に挿入される前に、ワイヤに事前に終端することができる。ワイヤは、ハウジングのヨーク部１４ｃ上に纏（まと）めて集められ、適切なクランプ手段（図示せず）によってヨーク部１４ｃに固定される。
【００１５】
さらに、図１〜４を参照すると、結合支援レバー１６は略Ｕ字状の構造体であり、旋回支柱２２によってハウジング１４の両側面に枢支された一対の結合駆動アーム１６ａを含む。旋回支柱２２は、各駆動アームの両側に突出している。駆動アーム同士は、自由端において、Ｕ字状レバーの横断部１６ｂによって接合されている。図１から最もよく分かるように、横断部は、レバーを後述のように結合位置にロックするための可撓性を有するロックアーム２４を有する。各駆動アーム１６ａは、旋回支柱２２を越えて突出する駆動部１６ｃを有し、該駆動部１６ｃの内部には、この分野で知られているように、カム溝（図では見えない）が形成されており、該カム溝は、レバー１６が結合位置（図１０）で旋回されたときに相手側コネクタをハウジング１４の結合端１４ａに向けて引くために相手側コネクタのカム突起を収容する。
【００１６】
一般に、レバーを図１〜４に示す装填前位置に保持するために、ハウジング１４とレバー１６との間に第１の相互係合係止手段が設けられている。具体的には、図２及び３から最もよく分かるように、レバー１６の各駆動アーム１６ａに形成された開口部２８から外側に、可撓性を有する係止タブ２６が形成されている。該係止タブは、開口部２８内で自在に曲がる。係止タブは、ハウジング１４の係止肩部３０と係合する係止面２６ａを有する。係止タブ２６の係止面２６ａとハウジングの係止肩部３０との間の相互係合によって、レバーの装填前位置から結合位置へ向かう移動が防止される。図４を参照すると、レバー１６の各駆動アーム１６ａは、ハウジング１４の当接面３４と係合する当接面３２を含み、これにより、レバーが反対方向に旋回するのを防止するためのストッパ手段が画定される。
【００１７】
図５Ａ及び５Ｂは、ハウジング１４の上部に取付けられたワイヤドレスカバー１８を示す。図５Ａから分かるように、ワイヤドレスカバーは、ハウジング１４の一対の突起３６の間に位置決め可能な細長部分１８ａを有する。これにより、カバーは、適切に位置決めすることができ、カバーの外周下縁部１８ｂがハウジングの外周畝部３８に係合するまで、矢印「Ａ」の方向に下方に旋回することができる。カバーは、該カバーの各側部に設けられたロックヨーク１８ｃがハウジングのロックフック４０にパチンと嵌（はま）ることによって、閉止位置（図６）にロックされる。
【００１８】
一般に、カバーがハウジングに取付けられた後でレバーを旋回することができるように、レバーの係止タブ２６をハウジングの係止肩部３０から外すための解放手段がカバー１８に設けられる。具体的には、図５Ａは、カバー１８の一方の側面から外側に突出する解放突起４２を示す。また、同様の解放突起が、カバーの反対側の側面から外側にも突出している。カバーがハウジング１４の上部に取付けられ矢印「Ａ」の方向に下方に旋回されると、解放突起４２は、レバー１６の駆動アーム１６ａに形成された係止タブ２６と係合し、可撓性を有する係止タブをハウジングの係止肩部３０から離れる方向に付勢する。これは、カバーをハウジングに取付けることによって自動的に行われる。
【００１９】
一般に、レバー１６を図１〜４に示す装填前位置から図６〜９に示す結合前位置に旋回移動させるために、プッシャ手段がカバー１８に設けられる。具体的には、図５Ｂは、カバー１８の一方の側面から外側に突出するプッシャ突起４４を示す。第２のプッシャ突起が、同様に、カバーの反対側の側面から外側に突出して配置されている。カバーを矢印「Ａ」の方向に旋回しながらハウジング１４上に取付けるとき、プッシャ突起４４は、レバーの駆動アーム１６ａの駆動部１６ｃの上縁４６と係合する。係止タブ２６は解放突起４２によって既に解放されているため、上述のようにカバーをハウジングの上部に移動すると、レバー１６を図６に示す結合前位置まで矢印「Ｂ」（図６）の方向に旋回するように作用する。図７は、レバー１６の装填前位置を仮想線で、レバー１６の結合前位置を実線で示す。
【００２０】
レバー１６の中間位置あるいは結合前位置は、図７及び８に例示されるような大きな利点を提供する。特に、図８に示すように一組のレバー型電気コネクタを背中合せに近接して取付けなければならない場合がある。図８のコネクタ１２Ａは、単純にコネクタ１２を水平方向に短くしたものである。両コネクタのレバーは結合前位置で示されており、両コネクタは、４８で示すように互いに非常に近接して並べて配置することができる。レバーが装填前位置から結合前位置に移動されなければ、両コネクタはこれほど互いに近接して取付けることができない。これは、図７に示すレバー１６の仮想位置から理解することができるであろう。
【００２１】
一般に、レバーを直前で説明した結合前位置に保持するために、ハウジング１４とレバー１６との間に第２の相互係合係止手段が設けられる。具体的には、レバーの各駆動アーム１６ａに可撓性を有する係止アーム５０が設けられる。該可撓性を有する係止アームは、レバーが結合前位置に移動するに従ってハウジングの係止スロット５２の中に移動する係止舌部５０ａを有する。これにより、レバーは結合前位置に保持される。
【００２２】
図９Ａ〜９Ｃは、全体を５４で示す相補的な相手側コネクタを示す。該相手側コネクタは、矢印「Ｃ」の方向からコネクタ１２と結合可能である。相手側コネクタは、複数の補強リブ５８を備えるハウジング５６を含む。補強リブ５８Ａのうちの１個は解放リブであり、ハウジング１４の係止スロット５２と位置合せされている。コネクタ１２をコネクタ５４に向けて、すなわち、コネクタ５４上に押すと、解放リブ５８Ａは、図９Ｃに示すように可撓性を有する係止アーム５０を外側に付勢し、係止舌部５０ａを係止スロット５２から外れるように移動させる。これと同時に、相手側コネクタのカムフォロワ６０は、レバーの駆動アーム１６ａの駆動部１６ｃの内部に形成されたカム溝に入る。係止舌部５０ａが係止スロット５２から外れて移動しているため、レバーは矢印「Ｄ」（図９Ａ）の方向に旋回することができ、レバーが図１０に示す完全結合位置に移動すると、コネクタ１２及び５４は互いに引かれて完全結合状態になる。
【００２３】
最後に、レバー１６は、図１０の完全結合位置に解放可能にロックされる。具体的には、レバー１６の横断部１６ｂに形成されたロックアーム２４（図１）は、カバー１８の上部に形成されたロックブリッジ６４の下方に嵌り、カバー１８は、さらに、上述のようにハウジング１４にロックされる。コネクタ同士を切離すためにレバー１６を完全結合位置から戻す方向に旋回したい場合は、解放レバー６６（図５Ａ及び１０）を押下げると、ロックアーム２４と係合し、該ロックアーム２４をロックブリッジ６４との係合が外れるように移動させる。
【００２４】
本発明は、本発明の精神又は中心的特徴から逸脱することなく、他の特定の形態で具体化することができることは理解されるであろう。したがって、本実施例及び実施の形態は、如何なる観点においても例示として考えるべきであって限定的に考えるべきでなく、本発明は、本明細書に記載した詳細な記述に限定されるものではない。
【図面の簡単な説明】
【００２５】
【図１】本発明に係るコネクタのコネクタハウジング及び結合支援レバーの上面斜視図であり、レバーは装填前位置に配置されている。
【図２】図１と同様の他の斜視図であるが、レバー構造の一方のレバーアームの内部の係止手段を示すために、より鉛直に近い角度での斜視図である。
【図３】図１及び２の組立体の側面立面図である。
【図４】図１〜３の組立体の下面斜視図である。
【図５Ａ】ハウジングに取付ける過程のワイヤドレスカバーを示す斜視図である（レバー構造は説明を容易にするため取除かれている）。
【図５Ｂ】図５Ａと同様の他の斜視図であるが、レバー構造が含まれており、ハウジングは部分的に切取られている。
【図６】ハウジングに完全に取付けられたワイヤドレスカバーの斜視図であり、レバー構造は結合前位置に配置されている。
【図７】図６の組立体の側面立面図であり、装填前位置のレバー構造を仮想線で示す。
【図８】本発明に係る背中合せに並設された一組のレバー型電気コネクタの側面立面図であり、レバー構造は結合前位置に配置されている。
【図９Ａ】相補的な相手側コネクタと部分的に結合したコネクタ組立体の斜視図であり、レバー構造は結合前位置にあり、レバー構造を結合前位置に保持する第２の係止手段を示すため、ハウジングの一部が切取られている。
【図９Ｂ】図９Ａに示す位置の第２の係止手段の部分拡大斜視図である。
【図９Ｃ】図９Ｂと同様の図であるが、第２の係止手段は、レバーを完全ロック位置に向けて旋回することができる解放位置にある。
【図１０】完全に組立てられた本発明のレバー型電気コネクタ組立体の斜視図であり、レバー構造は結合位置にある。
【図１】
2009518783.tif 000003
【図２】
2009518783.tif 000004
【図３】
2009518783.tif 000005
【図４】
2009518783.tif 000006
【図５Ａ】
2009518783.tif 000007
【図５Ｂ】
2009518783.tif 000008
【図６】
2009518783.tif 000009
【図７】
2009518783.tif 000010
【図８】
2009518783.tif 000011
【図９Ａ】
2009518783.tif 000012
【図９Ｂ】
2009518783.tif 000013
【図９Ｃ】
2009518783.tif 000014
【図１０】
2009518783.tif 000015
【国際調査報告】
2009518783.tif 000016
2009518783.tif 000017
2009518783.tif 000018